(57)【要約】【課題】  鉄筋等の長尺材を安全に縦吊りする縦吊り装置を提供する。【解決手段】  吊支すべき長尺材の全長に及ぶ長さを有する索綱であって、クレーンに支持されて昇降自在に垂下されるべき屈撓性索綱において、  上記索綱の上部に、上記長尺材に摺動自在に被嵌して該長尺材を上記索綱に添って保持すべき保持部材を取りつけ、  上記索綱の下部に、上記長尺材に嵌脱自在であって、該長尺材を着脱自在に把持すべきクランプ金具を取りつけ、  上記索綱の下端部に、上記長尺材の下端部に挿脱自在であって、該長尺材を落下不能に受支すべき安全カップを取りつけると共に、上記安全カップを、長尺材下端部を受支する位置と、長尺材下端から離脱する位置とに位置調整する手段を備えた、長尺材縦吊り装置。【選択図】    図１
2008081305.tif 000002
【特許請求の範囲】
【請求項１】
吊支すべき長尺材の全長に及ぶ長さを有する索綱であって、クレーンに支持されて昇降自在に垂下されるべき屈撓性索綱において、
上記索綱の上部に、上記長尺材に摺動自在に被嵌して該長尺材を上記索綱に添って保持すべき保持部材を取りつけ、
上記索綱の下部に、上記長尺材に嵌脱自在であって、該長尺材を着脱自在に把持すべきクランプ金具を取りつけ、
上記索綱の下端部に、上記長尺材の下端部に挿脱自在であって、該長尺材を落下不能に受支すべき安全カップを取りつけると共に、上記安全カップを、長尺材下端部を受支する位置と、長尺材下端から離脱する位置とに位置調整する手段を備えた、
長尺材縦吊り装置。
【請求項２】
上記索綱の中間部に取りつけられ、上記長尺材に摺動自在に被嵌すべき規制部材と、上記長尺材の中間部における上記規制部材より上位に着脱自在に取りつけられるべき部材であって、上記規制部材を通過不能に形成されたストッパー部材と、からなる２重安全装置をさらに付加した、請求項１に記載の長尺材縦吊り装置。
【発明の詳細な説明】
【技術分野】
【０００１】
本願発明は、鉄筋、Ｈ形鋼等の各種形鋼材、各種管材その他種々の長尺材を作業位置に搬送するための長尺材縦吊り装置に関する。
【背景技術】
【０００２】
従来、例えば鉄筋の縦吊り装置として、クレーンのワイヤロープにクランプ金具を連結し、該クランプ金具は、鉄筋の一端部を係脱自在に把持すべきクランプ爪を有し、このクランプ爪を開閉すべき開閉レバーを揺動自在に外部に突出すると共に、該開閉レバーに操作ロープの一端を連結し、他端を垂下した構造のもので、使用においては、ストックヤードに水平に置かれた鉄筋の一端部に上記クランプ爪を係止し、その状態で、クレーンのワイヤロープ巻上げにより上記鉄筋の一端部を引き上げて鉄筋全体を垂直に吊り上げ、ついでクレーン操作により上記鉄筋を先行の鉄筋の上位に搬送し、そこで先行鉄筋の上端部と後行鉄筋の下端部との連結を行うものが広く知られている。
【０００３】
しかし、上記の従来装置では、吊り上げた鉄筋をクレーン操作により先行鉄筋との連結位置に搬送する際、上記クランプ爪の開閉レバー又は操作ロープが作業現場の何らかの機材に触れてクランプ爪を開いてしまい、その結果鉄筋が落下して不測の事故を招来することがしばしばあった。
【発明の開示】
【発明が解決しようとする課題】
【０００４】
本願第１発明は、鉄筋等の長尺材をクランプして垂直状態に安定に吊支すると共に、万一クランプが開いても安全装置により長尺材の落下を防止することを課題とする。
【０００５】
本願第２発明は、２重の安全装置によりさらに長尺材の落下を確実に防止することを課題とする。
【課題を解決するための手段】
【０００６】
上記課題解決の手段として、本願第１発明は、
吊支すべき長尺材の全長に及ぶ長さを有する索綱であって、クレーンに支持されて昇降自在に垂下されるべき屈撓性索綱において、
上記索綱の上部に、上記長尺材に摺動自在に被嵌して該長尺材を上記索綱に添って保持すべき保持部材を取りつけ、
上記索綱の下部に、上記長尺材に嵌脱自在であって、該長尺材を着脱自在に把持すべきクランプ金具を取りつけ、
上記索綱の下端部に、上記長尺材の下端部に挿脱自在であって、該長尺材を落下不能に受支すべき安全カップを取りつけると共に、上記安全カップを、長尺材下端部を受支する位置と、長尺材下端から離脱する位置とに位置調整する手段を備えた、
長尺材縦吊り装置を提案する。
【０００７】
本願第２発明は、
上記第１発明における索綱の中間部に取りつけられ、上記長尺材に摺動自在に被嵌すべき規制部材と、上記長尺材の中間部における上記規制部材より上位に着脱自在に取りつけられるべき部材であって、上記規制部材を通過不能に形成されたストッパー部材と、からなる２重安全装置をさらに付加した、長尺材縦吊り装置を提案する。
【発明の効果】
【０００８】
本願第１発明の長尺材縦吊り装置によれば、保持部材を長尺材の上部に被嵌し、クランプ金具を長尺材の下部に把持させ、安全カップを長尺材の下端部に被挿した状態で、索綱をクレーンにより引き上げると、上記長尺材を索綱と平行に添った状態に安定に吊り上げることができ、それにより長尺材を次の作業位置に円滑に搬送することができると共に、その際万一、上記クランプ金具が長尺材把持を解くことがあっても、上記安全カップが長尺材の落下を阻止して安全を確保することができるのである。
【０００９】
本願第２発明の長尺材縦吊り装置によれば、上記第１発明の効果に加え、さらに上記クランプ金具及び安全カップのいずれもが長尺材把持及び受支を解くことがあっても、２重安全装置のストッパー部材が規制部材に引掛って長尺材の落下を阻止することができ、それにより作業の安全をさらに確実に維持することができるのである。
【発明を実施するための最良の形態】
【００１０】
本願発明における上記「屈撓性索綱」には、チエン、ワイヤロープ、綿、麻等の繊維ロープ等が含まれる。
【００１１】
また、上記「安全カップ」としては、上端を開口し、下端を閉塞した円筒状、角筒状等の筒状体、その他種々の構造のものが使用される。
【００１２】
さらに、上記安全カップの「位置調整する手段」には、安全カップが取りつけられた索綱の長さを適宜変更することにより安全カップの位置を調整するもの、安全カップをそれに取りつけたチャックにより索綱に把持させ、該チャックの把持位置を変更することにより位置調整を行うもの、その他種々の構造のものが使用される。
【実施例】
【００１３】
以下本発明を鉄筋縦吊り装置に実施した例について詳述する。便宜上本願第２発明の例について述べる。
図１（イ）において、屈撓性索綱として本例ではチエンを使用し、該縦吊りチエン（１）は鉄筋（Ｂ）とほぼ同長のもので、その上端に、クレーンのワイヤロープフックが係止されるべきリング（２）を連結し、チエン（１）の上端寄りの位置に鉄筋保持リング（３）を、チエン（１）の下端寄りの位置にクランプ金具（４）を、そしてチエン（１）の下端に安全カップ（５）をそれぞれ取りつけ、さらに上記クランプ金具（４）の若干上位に、規制リング（７）及びクランプ式ストッパー（８）からなる２重安全装置（６）を装着してある。
【００１４】
上記鉄筋保持リング（３）は、特に図１（ロ）に示すようにチエン（１）の一部に介在させた支持板（９）の上部にブラケット（１０）を介して揺動自在に支持してある。
【００１５】
上記クランプ金具（４）は、図１（ハ）に示すようにチエン（１）の一部に介在させた支持板（１１）の下部に取りつけてあり、その構造は次のようである。特に図２（イ）、（ロ）に示すように、半円弧状に回曲した一対の弧状クランプ（１２）、（１２’）の各一端部をピン（１３）により開閉自在に連結すると共に、弧状クランプ（１２）、（１２’）の各他端から、中間部に切込み溝（１５）、（１５’）を有するアーム（１４）、（１４’）を外側方へそれぞれ突出し、その一方のアーム（１４）の溝（１５）内に締着ボルト（１６）のヘッドを位置させると共にピン（１７）により揺動自在に支持してある。
【００１６】
上記締着ボルト（１６）は、ピン（１７）を中心とする揺動により他方のアーム（１４’）の溝（１５’）内に進退し、進入時に締着ナット（１８）の螺合によりクランプ（１２）、（１２’）を狭搾するものである。
【００１７】
上記のようなクランプ金具（４）の一方のクランプ（１２）を支持板（１１）に溶接等により固定してある。
【００１８】
上記安全カップ（５）は、図１（ニ）に示すように上端を開口し、下端を閉塞した円筒体で、その外側面上部にリング（１９）を突設し、該リング（１９）にチエン（１）を係止して吊支してある。
【００１９】
上記安全カップ（５）を、さらに鉄筋（Ｂ）の下端部を受支しうる位置と、鉄筋（Ｂ）下端から離脱しうる位置とに位置調整する手段として、本例では、図１（イ）に示すように上記チエン（１）の下端部分を安全カップのリング（１９）に上から摺動自在に挿通した後上方へ折り返し、そしてチエン（１）の最下端に連結されたフック（２０）を、上記支持板（１１）より上のチエン（１）の所望の環に係止してある。一例として、安全カップ（５）が図１（イ）に示す位置で鉄筋（Ｂ）の下端部を受支しているとき、上記フック（２０）をチエン（１）から外すと、安全カップ（５）が降下して鉄筋（Ｂ）下端から離脱するようにしてある。
【００２０】
次に、２重安全装置（６）の構造は次のようである。まず、規制リング（７）は、図１（ハ）に示すように上記支持板（１１）の上部に突設されたブラケット（２１）に揺動自在に支持してある。
【００２１】
クランプ式ストッパー（８）は、上記クランプ金具（４）と実質的に同一の構造のもので、図３（イ）、（ロ）に示すように一対の弧状クランプ（２３）、（２３’）をピン（２４）により開閉自在に連結し、切込み溝（２６）、（２６’）を有するアーム（２５）、（２５’）を締着ボルト（２７）及びナット（２８）により締着するようにし、この弧状クランプ（２３）、（２３’）の外径が、上記規制リング（７）内を通過できない寸法としてある。（２９）は上記締着ボルト（２７）のヘッドを揺動自在に支持するピンである。
【００２２】
本例では、さらに鉄筋（Ｂ）の外周面に形成されているらせん突条を利用して、先行鉄筋とメネジつきカップラーを介して螺合接続する作業を容易にするため、上記ストッパー（８）の一方のクランプ（２３）の外側面に図３（イ）、（ロ）に示すように回しハンドル（３０）を固定してある。
【００２３】
上例の作用を作業の一例とともに次に説明する。ストックヤードに水平に置かれている鉄筋（Ｂ）に沿って本発明縦吊りチエン（１）をほぼ水平に配置する。まず、保持リング（３）を鉄筋（Ｂ）の上端部に、規制リング（７）を鉄筋（Ｂ）の下端部にそれぞれ被嵌し、ついで安全カップ（５）を鉄筋（Ｂ）の下端部に被挿する。その状態で、クランプ金具（４）のナット（１８）をゆるめて弧状クランプ（１２）、（１２’）を開き、該開口クランプ（１２）、（１２’）を鉄筋（Ｂ）に被装し、締着ボルト（１６）を溝（１５’）内に係合してナット（１８）を螺合締着し、それにより弧状クランプ（１２）、（１２’）間に鉄筋（Ｂ）を圧着把持する。次に、クランプ式ストッパー（８）の弧状クランプ（２３）、（２３’）を同様に開き、その開口クランプ（２３）、（２３’）を鉄筋（Ｂ）における規制リング（７）より若干上の位置に被装し、締着ボルト（２７）とナット（２８）の螺合締着によりクランプ（２３）、（２３’）間に鉄筋（Ｂ）を圧着把持する。
【００２４】
次に、チエン（１）上端のリング（２）にクレーンのワイヤロープフックを係止し、クレーンのワイヤロープ巻き上げによりチエン（１）を吊り上げると、鉄筋（Ｂ）がチエン（１）と平行に添った状態で安定に吊り上げられる。
【００２５】
ついで、クレーン操作により上記チエン（１）及び鉄筋（Ｂ）を先行の鉄筋の上位に搬送する。
【００２６】
上記チエン（１）及び鉄筋（Ｂ）の吊り上げ、搬送時に、万一クランプ金具（４）による鉄筋（Ｂ）の把持が不十分又は解除となっても、鉄筋（Ｂ）は、その下端部を安全カップ（５）に受支されているので、落下する危険はない。
【００２７】
さらに、万一上記安全カップ（５）による鉄筋受支が不十分又は解除となっても、２重安全装置（６）のクランプ式ストッパー（８）が規制リング（７）により降下を阻止されて鉄筋（Ｂ）の落下をさらに防止する。
【００２８】
鉄筋（Ｂ）を先行鉄筋の上位に位置させたら、チエン（１）下端のフック（２０）をチエン（１）から外して安全カップ（５）を鉄筋（Ｂ）下端から離脱させ、その状態で鉄筋（Ｂ）を降下させ、先行鉄筋の上端部に予め螺合されているカップラーに鉄筋（Ｂ）の下端部を仮螺合する。
【００２９】
ついで、クランプ金具（４）の締着ナット（１８）をゆるめて弧状クランプ（１２）、（１２’）を開いて鉄筋（Ｂ）把持を解除し、そこでクランプ式ストッパー（８）の回しハンドル（３０）を手作業で回すことにより鉄筋（Ｂ）を回転させ、それにより鉄筋（Ｂ）の下端部をカップラーに螺合し、先行鉄筋との接続を完了する。
【００３０】
接続完了後、クランプ式ストッパー（８）の弧状クランプ（２３）、（２３’）を上記と同様の操作により開いて鉄筋（Ｂ）の把持を解除し、その状態でクレーン操作によりチエン（１）を引き上げると、鉄筋（Ｂ）を接続位置に残して縦吊り装置のみが吊り上げられ、そして新たな鉄筋吊上げに繰返し使用される。
【図面の簡単な説明】
【００３１】
【図１】（イ）鉄筋を縦吊りした状態の本願第２発明による鉄筋縦吊り装置の全体正面図である。                                                                        （ロ）保持リング部分の拡大斜面図である。                                    （ハ）クランプ金具及び規制リング部分の拡大斜面図である。                    （ニ）安全カップ部分の拡大斜面図である。
【図２】（イ）クランプ金具の拡大正面図である。                                      （ロ）（イ）図のＡ−Ａ線断面図である。
【図３】（イ）クランプ式ストッパーの拡大正面図である。                              （ロ）同上拡大平面図である。
【符号の説明】
【００３２】
Ｂ  鉄筋
１  縦吊りチエン
３  保持リング
４  クランプ金具
５  安全カップ
６  ２重安全装置
７  規制リング
８  クランプ式ストッパー
２０  フック
【図１】
2008081305.tif 000003
【図２】
2008081305.tif 000004
【図３】
2008081305.tif 000005